(57)【要約】  本発明は、タワー構造体、特に、風力発電設備用のタワー構造体の動作負荷、特に、風負荷を設定する方法に関する。本発明はさらに、タワー構造、特に、風力発電設備用のタワー構造の設計方法、タワー構造、特に、風力発電設備用のタワー構造の耐用年数を決定する方法、およびタワー構造、特に、風力発電設備用のタワー構造、および風力発電設備に関する。タワー構造の動作負荷を設定する方法は、負荷方向に負荷パラメータを設定すること、負荷方向発生分布を設定すること、負荷方向分布によって修正された負荷パラメータを設定することを含む。【選択図】図２
2019528401.tif 000002
【特許請求の範囲】
【請求項１】
タワー構造の動作負荷、特に、タワー構造、特に、風力発電設備のタワー構造の風負荷を設定する方法であって、
負荷方向において負荷パラメータを設定すること、
負荷方向発生分布を設定すること、
前記負荷方向分布によって修正された負荷パラメータを設定すること、
を含む方法。
【請求項２】
前記負荷方向発生分布にしたがって、前記負荷パラメータを異なる負荷方向の負荷パラメータ成分に分割する、
請求項１に記載の方法。
【請求項３】
負荷方向ごとに前記負荷パラメータ成分を合計する、
請求項１または２に記載の方法。
【請求項４】
前記負荷方向発生分布は、履歴および／または測定負荷データに基づいて推定および／または設定され、および／または、統計分布および／または発生確率に基づいて設定される、
請求項１から３のいずれか１項に記載の方法。
【請求項５】
確率質量関数は、負荷方向発生分布の基礎となる、
請求項１から４のいずれか１項に記載の方法。
【請求項６】
異なる負荷方向についてそれぞれの前記負荷方向の発生分布を設定し、異なる負荷方向に対する分布は、好ましくは、同じ、あるいは異なる、
請求項１から５のいずれか１項に記載の方法。
【請求項７】
異なる負荷方向において負荷パラメータを設定する、
請求項１から６のいずれか１項に記載の方法。
【請求項８】
異なる負荷方向において負荷パラメータが設定される場合、異なる負荷方向に関係する違いが考慮される、
請求項１から７のいずれか１項に記載の方法。
【請求項９】
異なる負荷方向における前記負荷パラメータの異なる値の形態の違いが考慮される、
請求項１から８のいずれか１項に記載の方法。
【請求項１０】
前記負荷パラメータの値の分布の形態の違いが考慮される、
前記２つの請求項のいずれか１つに記載の方法。
【請求項１１】
異なる負荷方向における異なる風速の形態の違いが考慮される、
前記３つの請求項のいずれか１つに記載の方法。
【請求項１２】
タワー構造、特に、風力発電設備のタワー構造の設計方法であって、
請求項１から１１のいずれか１項に記載の方法にしたがって、前記タワー構造に対して動作負荷を設定すること、
設定された前記動作負荷にしたがって、前記タワー構造を設計すること、
を備えた方法。
【請求項１３】
タワー構造、特に、風力発電設備のタワー構造の耐用年数を決定する方法であって、
請求項１から１１のいずれか１項に記載の方法にしたがって、前記タワー構造に対する動作負荷を設定すること、
設定された前記動作負荷にしたがって、前記タワー構造の耐用年数を設定すること、
を備えた方法。
【請求項１４】
タワー構造、特に、風力発電設備のタワー構造であって、
前記タワー構造を設計するための負荷パラメータは、請求項１から１１のいずれか１項に記載の方法にしたがって設定され、および／または、前記タワー構造は、請求項１２に記載の方法にしたがって設計される、
タワー構造。
【請求項１５】
タワーと、少なくとも１つのロータブレードを持つロータを有しタワーに配置されるナセルを備えた風力発電設備であって、
前記タワーは、請求項１４に記載のタワー構造である、
風力発電設備。
【発明の詳細な説明】
【技術分野】
【０００１】
本発明は、動作負荷、特に、タワー構造体、特に、風力発電設備用のタワー構造体の動作負荷の設定方法に関する。本発明はさらに、タワー構造、特に、風力発電設備用のタワー構造の設計方法、タワー構造、特に、風力発電設備用のタワー構造の耐用年数を決定する方法、およびタワー構造、特に、風力発電設備用のタワー構造、および風力発電設備に関する。
【背景技術】
【０００２】
原則として、動作負荷を設定することは、タワー構造を設計することの一部であるか、これよりも優先される。例として、動作負荷は風荷重であってもよい。特に、動作負荷は、時間的に変化し、タワー構造の疲労負荷につながる可能性がある負荷が変化している。タワー構造体に対して設定される動作負荷が高いほど、特に、疲労負荷の観点からも、計画耐用年数にわたって動作負荷に耐えるためにタワー構造体の設計がより弾力的でなければならない。
【０００３】
動作負荷を設定するための既存の方法は、設計プロセスの範囲内でタワー構造の寸法超過を回避するために、できるだけ正確に動作負荷を設計しようとする。しかしながら、さらなる改良が望まれている。
したがって、本発明の目的は、存在する解決方法に関して改善される、動作負荷、特に、タワー構造、特に、風力発電設備のタワー構造の風負荷を設定する方法、タワー構造、特に、風力発電設備のタワー構造の耐用年数を設定する方法、タワー構造、特に、風力発電設備のタワー構造、および風力発電設備を提供することである。特に、本発明の目的は、タワー構造のより有利な設計および／またはタワー構造の耐用年数を延長することを容易にする、タワー構造体、特に、風力発電設備用のタワー構造体のための動作負荷、特に、風負荷を設定する方法を提供する。
【０００４】
本ＰＣＴ出願の優先権主張出願について、ドイツ特許商標庁は、以下の先行技術文献をサーチした：米国特許発明第６，８５０，８２１号明細書、米国特許出願公開第２０１３／０１２５６３２号明細書。
【先行技術文献】
【特許文献】
【０００５】
【特許文献１】米国特許発明第６，８５０，８２１号明細書
【特許文献２】米国特許出願公開第２０１３／０１２５６３２号明細書
【発明の概要】
【０００６】
この目的は、負荷方向において負荷パラメータを設定すること、負荷方向発生分布を設定すること、負荷方向分布によって修正された負荷パラメータを設定することを含む、タワー構造、特に、風力発電設備のタワー構造のための動作負荷、特に、風負荷を設定する方法によって達成される。
本発明は、とりわけ、動作負荷を設定するための既存の方法の場合には、負荷パラメータが負荷方向に設定されるという認識に基づいており、前記負荷方向は、通常、主の負荷方向に対応する。タワー構造は、この負荷パラメータ用に設計されている。しかしながら、これは、様々な負荷方向にわたる負荷の変動が考慮されないままであるため、特に、方向に依存する負荷パラメータの場合には、寸法の過大化を招く可能性がある。
【０００７】
風負荷の形態の負荷パラメータは、特に、風力発電設備のタワー構造の場合に大きな役割を果たす。例として、風力発電設備を開発するとき、風力発電設備の、例えば、タワー構造のようなそれぞれの構成要素は、原則として、想定される耐用年数の間の風力発電設備の動作が可能であるように設計される。一例として、風力発電設備の耐用年数は、２０年、２５年または３０年であってもよい。
【０００８】
風力発電設備およびその構成要素は、定常負荷および非定常負荷にさらされる。例として、非定常負荷は、風の乱れ、斜めの流入流および風速の高さプロファイルによって引き起こされる可能性がある。したがって、風力発電設備に作用する負荷スペクトルは、多面的であり、それぞれの負荷状況はその全体において評価されることが好ましい。原則として、これは負荷状況の合計を表す負荷スペクトルによって実装される。風力発電設備に作用する非定常負荷は、風力発電設備の構成要素の疲労を引き起こす可能性がある。したがって、風力発電設備の各構成要素は、風力発電設備の耐用年数に到達したとき、または到達した後にのみ、故障臨界疲労が発生するように設計されることが好ましい。
【０００９】
好ましくは、メインの風の方向の形態でメインの負荷方向が風力発電設備の計画位置に対して設定され、風負荷の形態の負荷パラメータがこのメインの負荷方向に対して設定される。しかしながら、風負荷が様々な方向にわたって、すなわちメインの負荷方向に加えて、二次負荷方向にわたっても変化するという事実は、ここでは考慮されないままである。
【００１０】
負荷方向発生分布を考慮に入れることは、本発明のこの発見に基づいて提案される。特に、これは、メインの負荷方向にどれだけ頻繁に、またはどのような確率で負荷が発生するか、および二次負荷方向にどれだけ頻繁に、またはどのような確率で負荷が発生するかを考慮することを意味する。これにより、この負荷方向発生分布正義を行うように、負荷パラメータを修正することが可能になる。一般に、これは、元の負荷パラメータがメインの負荷重方向にのみ存在する負荷に基づいているため、修正された負荷パラメータが元の負荷パラメータよりも小さくなることにつながる。その結果、負荷方向発生分布を考慮し、対応して修正された負荷パラメータを設定することによって、より適切なタワー構造の設計を得ることが可能である。
【００１１】
負荷方向は、必要に応じて細分化される。一例として、負荷方向は、１度として定義される。負荷方向のより細かいまたはより粗い定義も同様に可能である。例として、負荷方向はまた、例えば、１０度のセグメントとして定義されてもよい。
一例として、負荷パラメータは風負荷であってもよい。 一例として、負荷パラメータは、トルクの範囲として特定されてもよい。負荷パラメータは、トルク、横力、および／または、応力の形で特定される。異なるパラメータの組み合わせも可能である。
【００１２】
特に、風負荷は、時間とともに変化する負荷を変化させ、ひいては疲労荷重をもたらす動的な振動である。 好ましくは、負荷パラメータは、負荷スペクトルである。 一例として、負荷パラメータは、負荷遷移を含むことができる。
好ましくは、負荷パラメータは、例えば、タワー構造の計画位置およびそこで予想される負荷に応じて、シミュレーションによって設定することができる。履歴および／または測定された負荷データも負荷パラメータを設定するために使用される。風負荷パラメータを設定するために、風速および／または風平均（平均風速）および／またはさらなる場所特有のパラメータが使用されることが好ましい。
【００１３】
好ましくは、負荷パラメータが設定される負荷方向が最初に設定される。原則として、この負荷方向は、メインの負荷方向に対応する。風力発電設備では、これは、メインの風の方向に対応することが好ましい。
好ましい実施形態によれば、負荷方向発生分布に従って負荷パラメータを異なる負荷方向の負荷パラメータ成分に分割することが提供される。さらに、負荷方向ごとに負荷パラメータ成分の合計があることが好ましい。
【００１４】
これが達成できることは、メインの負荷方向に最初に設定された負荷が、１つまたは複数の二次負荷方向に発生する成分によって低減されることである。同時に、１つまたは複数の二次負荷方向に対して設定された負荷を異なる負荷方向に分割することから生じるメインの負荷方向の成分が減少値に加算される。
さらに、負荷方向発生分布が、履歴および／または測定された負荷データに基づいて推定および／または設定され、および／または、統計分布および／または発生可能性に基づいて設定されるようにすることが好ましい。
【００１５】
好ましい展開は、確率質量関数が負荷方向発生分布の根底にあるという点で区別される。例として、これは正規分布（ガウス分布）であり得る。
さらに好ましい展開は、異なる負荷方向に対するそれぞれの負荷方向の発生分布を確立することを特徴とし、異なる荷重方向に対する分布は、好ましくは、同じまたは異なる。
この展開では、異なる負荷方向に対して異なる分布が適用可能であるという事実が考慮されている。例として、メインの風の方向についての分布は、メインの主の風の方向から逸脱する二次的な風の方向における分布とは異なって見えることがある。さらに、同じ分布はまた、様々な風の方向に使用される。
【００１６】
さらに、異なる負荷方向において負荷パラメータを設定することが好ましい。負荷方向、好ましくは、メインの負荷方向に対して設定された負荷パラメータは、他の負荷方向に対しても簡単な変形で使用されるが、この実施形態では、様々な負荷方向に対して負荷パラメータが設定され、その結果、負荷パラメータを異なる負荷重方向で変化させることができる。
【００１７】
好ましくは、各負荷方向の発生分布に従った各付加パラメータは、異なる負荷方向の負荷パラメータ成分に分割される。さらに好ましくは、それぞれの負荷パラメータ成分は、負荷方向ごとに合計される。
さらに、好ましい実施形態では、異なる負荷方向における負荷パラメータを設定するときに考慮されるべき異なる負荷方向に関する相違が提供される。例として、これは、異なる負荷方向に対して異なる負荷パラメータ値が生じるという事実を考慮に入れることを可能にする。
【００１８】
好ましくは、異なる負荷方向における負荷パラメータの異なる値の形の違いが考慮される。
さらに、負荷パラメータの値の分布の形の違い、特に、タワー構造の円周にわたる違いが考慮されることが好ましい。好ましくは、分布は確率質量関数に基づく。例として、これは正規分布（ガウス分布）であってもよい。
【００１９】
さらなる好ましい実施形態によれば、考慮されるべき異なる負荷方向における異なる風速の形態の差が考慮される。例として、風平均とも呼ばれる（平均）風速は、メインの風の方向と二次的な風の方向とで異なる。
本発明のさらなる態様によれば、冒頭に述べた目的は、上述の方法に従ってタワー構造のための動作負荷を設定すること、設定された動作負荷に従ってタワー構造を設計することを含む、タワー構造、特に、風力発電設備用のタワー構造を設計するための方法によって達成される。従って、後者の寸法決定または計算とも呼ばれる、タワー構造の設計は、本発明に従って決定された動作負荷に従って実施されることが好ましい。
【００２０】
本発明のさらなる態様によれば、冒頭に述べた目的は、上述の方法に従ってタワー構造のための動作負荷を設定すること、設定された動作負荷に従ってタワー構造の耐用年数を設定することを含む、タワー構造、特に、風力発電設備用のタワー構造の耐用年数を決定するための方法によって達成される。
本発明のさらなる態様によれば、冒頭に述べた目的は、タワー構造を設計するための負荷パラメータが上述の方法に従って設定され、および／またはタワー構造が上述の方法に従って設計されることを特徴とする、タワー構造、特に、風力発電設備用のタワー構造によって達成される。
【００２１】
本発明のさらなる態様によれば、冒頭に述べた目的は、タワーは上述のタワー構造であることを特徴とする、タワーと、タワー上に配置されたナセルとを含む風力発電設備によって達成され、該ナセルは、少なくとも１つのロータブレードを持つロータを有する。
本発明のこれらのさらなる態様の利点、実施形態の変形形態および実施形態の詳細、ならびにそれらのそれぞれの展開に関しては、対応する方法の特徴に関する前述の説明が参照される。
【００２２】
本発明の好ましい実施形態は、添付された図面に基づいて例示しながら説明される。
【図面の簡単な説明】
【００２３】
【図１】本発明に係る風力発電設備の概略図。
【図２】タワー構造の動作負荷を設定する方法のフローチャート。
【図３】断面図で示されるタワー構造の負荷スペクトルの形態で負荷パラメータを示す図。
【図４Ａ】図３から上部負荷スペクトルＭ９０および下部負荷スペクトルＭ０を示す図。
【図４Ｂ】図４Ａに記載された負荷方向発生分布を示す図。
【図５】異なる負荷方向に対する同一の発生分布を示す図。
【図６】修正されたスペクトルレベルの形態で修正された負荷パラメータを示す図。
【図７】図４Ａに記載された上部負荷スペクトルＭ９０および下部負荷スペクトルＭ０、付加的には、修正された負荷スペクトルＭ９０’およびＭ０’を示す図。
【発明を実施するための形態】
【００２４】
図１は、タワー１０２およびナセル１０４を有する風力発電設備１００を示す。３つのロータブレード１０８を有するロータ１０６とスピナ１１０とは、ナセル１０４に設けられている。ロータ１０６は、運転時に、風によって回転運動するように設定され、それにより、ナセル１０４内の発電機を駆動する。
図２は、タワー構造の動作負荷を設定する方法のフローチャートを示しており、ここでは、例えば、シミュレーションによって、負荷方向における負荷パラメータがステップＳ１において設定される。例えば、正規分布のような適切な確率質量関数または確率密度関数を仮定することによって、負荷方向発生分布がステップＳ２において設定される。ステップＳ３では、負荷方向分布によって修正された負荷パラメータが設定される。
【００２５】
特に、風力発電設備のタワー構造は、風力発電設備の運転の結果として時変で変化する負荷によって疲労負荷を受ける。したがって、原則として、負荷スペクトルは、タワー構造を設計する目的で設定され、原則として、これはシミュレーションによって実行される。
例として、このようなシミュレーションでは、異なる風の場、設置抵抗、および／またはロータブレード調整を伴う閉ループ制御を考慮に入れることができる。概して、そのようなシミュレーションは、メインの風の方向について実施されるが、風の方向は、設備の実際の運転中に変化し、ロータは対応してナセルの方位角調整によって風を追跡するため、本発明にしたがって、この点が考慮に入れられる。例として、ここでは、例えば、風のような負荷が、タワー構造体の耐用年数を通じて記述可能なランダム分布に従って異なる方向からタワー構造体に作用すると仮定される。次の例では、このランダム分布は、ガウス正規分布の適用によって説明される。その代わりにまたはそれに加えて、例えば、風の測定値および／または記録された閉ループ制御データによって、分布を決定または推定することができる。
【００２６】
例として、設計耐用年数に対する負荷スペクトルは、シミュレーションで負荷パラメータを設定するときに設定される。既存の設計方法は、この負荷が計画耐用年数全体にわたってメインの負荷方向から作用するという仮定の下でメインの負荷方向の負荷スペクトルに対抗するように設計を実施するが、本発明による方法は、考慮されるべき異なる負荷方向にわたる負荷発生分布を提供する。例えば、タワー構造の円周にわたって記載された確率質量密度が、この分布のために好ましくは使用される。その際、最も高い確率がメインの負荷方向に割り当てられることが好ましい。一例として、メインの負荷方向の負荷スペクトルのレベルは、タワー構造の円周にわたる確率に応じて、（確率質量密度に応じて）円周または円周の一部にわたって分布することができる。好ましくは、他の負荷方向の他の負荷スペクトルも同様に、タワー構造の円周にわたって分布している。各負荷スペクトルは、特定の負荷方向に対する定常負荷スペクトルになる。
【００２７】
好ましくは、この手順は、メインの負荷方向の負荷スペクトルを減少させるだけでなく、分布に基づいてメインの負荷方向に割り当てられるべき二次的な負荷方向の負荷スペクトルの成分によって後者を補完する。負荷パラメータのこの修正の結果、例えば、２５％の減少が、設計に関連するメインの負荷方向の動作負荷において達成される。一般に、二次的な負荷方向の負荷スペクトルは、同時に増加し、それによって、負荷変動の差の減少および／または負荷レベルの均一化がもたらされる可能性がある。
【００２８】
結果として、本発明による手順は、その設計中に、費用効果的および／または資源節約的な構造をもたらし得る、新しいタワー構造のためのより低い負荷を考慮することを可能にする。
本発明に係る方法はまた、既存のタワー構造について、より長い耐用年数を実証することを可能にする。この目的のために、好ましくは、タワー構造の実施された設計、特に、その寸法および／またはその構造を考慮して、動作負荷が設定され、設定された動作負荷についてタワー構造の耐用年数が実証される。ここで、耐用年数はまた、特に、既に稼働中のタワー構造の残存耐用年数を意味すると理解することもできる。この目的のために、タワー構造の設計のために、元々設定された動作負荷を、例えば、シミュレーションにおいて使用することが可能であり、これらは、本発明に係る方法を使用して修正される。その代わりにまたはそれに加えて、風力測定からの測定データおよび／または風力発電設備の運転データを考慮することも可能である。
【００２９】
さらに、負荷方向に対する風速のばらつきも考慮することが好ましい。原則として、考慮される風平均は、負荷方向に加えて負荷スペクトルにも影響する。好ましい構成において、タワー構造の円周にわたって風速の質量分布が適用される確率によって、さらなる再位置決め、したがって動作負荷の低減が得られる。
図３の右側は、ここに示された変形形態では９０°で攻撃する、プロットされたメインの負荷方向２０１を有するタワー構造２００の断面を示している。左側は、負荷または設計スペクトルの形で負荷パラメータを示しており、ｙ軸はトルクの範囲をｋＮｍで、ｘ軸は負荷の変化をプロットしている。矢印２０２は、耐用年数を示している。ここで、上側負荷スペクトルＭ９０は、９０°におけるメインの負荷方向２０１の設計スペクトルに対応する。下側の設計スペクトルＭ０は、二次的な負荷方向０°の設計スペクトルに対応する。
【００３０】
図４Ａは、図３の上側負荷スペクトルＭ９０と下側負荷スペクトルＭ０のみを示している。高負荷スペクトルＭ９０のスペクトルレベル３００が、例示的に選択されている。矢印２０３は、設計耐用年数のスペクトルレベル３００の構成要素を示す。ここで、図４Ｂに示す負荷方向発生分布Ｖを考慮すると、図４Ａの右下に示すように、異なる負荷方向間のスペクトルレベル３００の分布が生じる。ここで識別されることは、最大の成分は９０°のメインの負荷方向に記録され、次に大きい成分は８０°および１００°の隣接する二次的な負荷方向に記録されることである。一方、７０°と１１０°の２次的な負荷方向に対しては、すでにかなり小さい部品が記録される。残留成分Ｒは、さらなる二次的な負荷方向に分配される。この目的のために使用され、図４Ｂに示された分布は、９０°の期待値および１８０°の分散を有するガウス正規分布である。ｙ軸は、基準期間内の頻度（耐用年数）をプロットし、一方、横軸は、タワー構造の円周上の位置を度数でプロットする。
【００３１】
図５は、異なる負荷方向の発生の分布Ｖ０，Ｖ３０，Ｖ６０，Ｖ９０，Ｖ１２０，Ｖ１５０，Ｖ１８０をこの場合３０°間隔で簡略化して示している。同様に、単純化された方法で、これは９０°の期待値と１８０°の分散を持つ同じガウス分布に基づいている。しかしながら、異なる負荷方向に対する異なる分布もまた想定され得る。
右側では、図６は、修正されたスペクトルレベル３００’の形で修正された負荷パラメータを示し、そして左側では、その構成を示す。ここで、３０１は、負荷レベルの負荷スペクトラムの自身の負荷方向に起因する成分を示す。３０２は、自身の負荷方向に対して＋／−１０°および＋／−２０°のオフセットを持って配置された、二次的な負荷方向の負荷スペクトルから生じる成分を表す。さらなる度数だけオフセットされた成分は、残りのＲの下で組み合わされる。
【００３２】
本発明に係る手順の結果は、図７に例示的に示されている。図７による負荷スペクトルＭ９０およびＭ０は、図３に示された負荷スペクトルＭ９０およびＭ０に対応する。さらに、修正された負荷スペクトルＭ９０’およびＭ０’の形で修正された負荷パラメータが図７に示されている。識別され得るように、そして矢印によって明らかにされるように、本発明に係る手順は、メインの負荷方向における動作負荷を減少させる一方、二次的な負荷方向における動作負荷は増大する。特に、メインの負荷方向における動作負荷のみがタワー構造を設計するために使用される場合、本発明に係る方法の結果として、著しい設計上の利点が生じる。
【００３３】
修正された負荷パラメータを考慮することによって、既存のタワー構造のための延長された（残存）耐用年数を立証することも可能である。
【図１】
2019528401.tif 000003
【図２】
2019528401.tif 000004
【図３】
2019528401.tif 000005
【図４Ａ】
2019528401.tif 000006
【図４Ｂ】
2019528401.tif 000007
【図５】
2019528401.tif 000008
【図６】
2019528401.tif 000009
【図７】
2019528401.tif 000010
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
タワー構造の動作負荷を設定する方法であって、
負荷方向において負荷パラメータを設定すること、
負荷方向発生分布を設定すること、
前記負荷方向分布によって修正された負荷パラメータを設定すること、
を含む方法。
【請求項２】
前記負荷方向発生分布にしたがって、前記負荷パラメータを異なる負荷方向の負荷パラメータ成分に分割する、
請求項１に記載の方法。
【請求項３】
負荷方向ごとに前記負荷パラメータ成分を合計する、
請求項１または２に記載の方法。
【請求項４】
前記負荷方向発生分布は、履歴および／または測定負荷データに基づいて推定および／または設定され、および／または、統計分布および／または発生確率に基づいて設定される、
請求項１から３のいずれか１項に記載の方法。
【請求項５】
確率質量関数は、負荷方向発生分布の基礎となる、
請求項１から４のいずれか１項に記載の方法。
【請求項６】
異なる負荷方向についてそれぞれの前記負荷方向の発生分布を設定する、
請求項１から５のいずれか１項に記載の方法。
【請求項７】
異なる負荷方向において負荷パラメータを設定する、
請求項１から６のいずれか１項に記載の方法。
【請求項８】
異なる負荷方向において負荷パラメータが設定される場合、異なる負荷方向に関係する違いが考慮される、
請求項１から７のいずれか１項に記載の方法。
【請求項９】
異なる負荷方向における前記負荷パラメータの異なる値の形態の違いが考慮される、
請求項１から８のいずれか１項に記載の方法。
【請求項１０】
前記負荷パラメータの値の分布の形態の違いが考慮される、
請求項８または９に記載の方法。
【請求項１１】
異なる負荷方向における異なる風速の形態の違いが考慮される、
請求項８から１０のいずれか１つに記載の方法。
【請求項１２】
タワー構造の設計方法であって、
請求項１から１１のいずれか１項に記載の方法にしたがって、前記タワー構造に対して動作負荷を設定すること、
設定された前記動作負荷にしたがって、前記タワー構造を設計すること、
を備えた方法。
【請求項１３】
タワー構造の耐用年数を決定する方法であって、
請求項１から１１のいずれか１項に記載の方法にしたがって、前記タワー構造に対する動作負荷を設定すること、
設定された前記動作負荷にしたがって、前記タワー構造の耐用年数を設定すること、
を備えた方法。
【請求項１４】
タワー構造であって、
前記タワー構造を設計するための負荷パラメータは、請求項１から１１のいずれか１項に記載の方法にしたがって設定され、および／または、前記タワー構造は、請求項１２に記載の方法にしたがって設計される、
タワー構造。
【請求項１５】
タワーと、少なくとも１つのロータブレードを持つロータを有しタワーに配置されるナセルを備えた風力発電設備であって、
前記タワーは、請求項１４に記載のタワー構造である、
風力発電設備。
【国際調査報告】
2019528401.tif 000011
2019528401.tif 000012
2019528401.tif 000013
2019528401.tif 000014
2019528401.tif 000015
2019528401.tif 000016